(57)【特許請求の範囲】
【請求項１】
手持ち式のハウジング（１）と、
ピストンガイド（２）の中に設けられ、打ち込む留め具（４）に対し、発射薬（３）からエネルギを伝達するピストン手段と、
前記ピストンガイド（２）に着脱可能に結合される前方部材（６）とを備え、
前記前方部材（６）と前記ピストンガイド（２）とは、前記ピストン手段の中心軸線（Ａ）に平行に相対的な移動が可能であって、
前記ピストンガイド（２）からの前記前方部材（６）の取り外し作業は、前記前方部材（６）と前記ピストンガイド（２）との分解用角度の相対的な回転を含み、
前記分解用角度の相対的な回転は、固定機構（７）の回転規制機構の規制に抗して行う打込装置であって、
前記固定機構（７）は、弾性的に保持されて前記前方部材（６）及び前記ピストンガイド（２）の一方に設けられた少なくとも１つの案内部材（９）を備え、
前記案内部材（９）は、前記前方部材（６）及び前記ピストンガイド（２）の他方に設けられて前記中心軸線（Ａ）に平行に延設された案内溝（８）の中で移動し、
少なくとも１つの軸線方向解除位置に、前記案内溝（８）から周方向に分岐する横方向溝（１３，１４）が設けられ、
前記横方向溝（１３，１４）は、前記案内溝（８）よりも深さが浅いことにより、前記回転規制機構を形成し、
前記軸線方向解除位置は、前記案内溝（８）の軸線方向の端部に近接した位置である
ことを特徴とする打込装置。
【請求項２】
前記案内溝（８）と平行に延設された分解用溝（１２）を備え、
前記案内部材（９）は、前記横方向溝（１３，１４）を介し、前記案内溝（８）から前記分解用溝（１２）に移動可能である
ことを特徴とする請求項１に記載の打込装置。
【請求項３】
前記案内溝（８）の軸線方向の２つの端部のそれぞれの位置が、周方向に分岐する横方向溝（１３，１４）を有した軸線方向解除位置となることを特徴とする請求項１に記載の打込装置。
【請求項４】
前記案内部材（９）は、球体として形成されることを特徴とする請求項１〜３のいずれかに記載の打込装置。
【請求項５】
前記案内部材（９）は、弾性保持リング（１０）により、穴（１１）内に保持されることを特徴とする請求項１〜４のいずれかに記載の打込装置。
【発明の詳細な説明】
【技術分野】
【０００１】
本発明は、請求項１の前段部分に記載の打込装置に関するものである。
【背景技術】
【０００２】
従来技術として、発射薬を用いた手持ち式打込装置が知られており、この装置では、発射薬に点火した後、発生する燃焼ガスが燃焼室内で膨張する。これにより、エネルギ伝達手段であるピストンが加速され、留め具を作業対象物に打ち込む。
【０００３】
このような、ピストンの自動復帰機能を有さない打込装置の構成の場合には、打込作業の後、手動による復帰操作によってピストンが元の位置に戻される。このため、復帰操作の第１段階において、所定位置のストッパで停止するまで、ハウジングに対し、ピストンガイドが打込方向に押し出される。復帰操作の第２段階では、ピストンガイドがピストンと共に、所定位置の後方ストッパに達するまで、逆方向に向けてハウジング内に押し込まれる。打込作業の過程において、ピストンガイドの前方部材が作業対象物上に置かれ、軸線方向の移動で停止位置まで押し込まれた状態となることにより、打込装置の起動が可能となる。このような装置のメンテナンス及び清掃のため、この前方部材はピストンガイドから取り外し可能となっており、一般的には、この後にピストンもピストンガイドから取り外すことが可能となっている。
【発明の概要】
【発明が解決しようとする課題】
【０００４】
従来の打込装置の場合、ピストンガイドからの前方部材の取り外しは、これらピストンガイド及び前方部材を、軸線方向移動の概ね中程となる中間位置まで軸線方向に移動した後、両者を相対的に回転させてから、軸線方向に引っ張って分離しなければならないという作業を伴うものとなっている。このような作業は、ピストンガイドに設けられた案内溝の屈曲構造に対応したものである。組付けは、逆の手順で行われることになる。
【０００５】
本発明の目的は、メンテナンスのための単純な分解作業を可能とするような打込装置を提供することにある。
【課題を解決するための手段】
【０００６】
最初に述べたような打込装置に関し、この目的は請求項１に特定する特徴の発明によって達成される。回転規制機構を設けることにより、前方部材とピストンガイドとの分解及び組立作業が改善される。更に、意に反した部材の離脱を、単純な機構によって防止することができる。
【０００７】
本発明における中心軸線は、少なくとも留め具の移動方向に平行な軸線であって、ピストン手段の中心を通る軸線である。
【０００８】
本発明におけるピストン手段は、発射薬の点火によって得られる運動エネルギを付与する任意の手段であって、当該運動エネルギは最終的に留め具に伝達される。このピストン手段は、円柱状のピストンとして具現化されることが多い。
【０００９】
本発明におけるピストンガイドは、ピストン手段の少なくとも後方部分を案内する部材である。具体的には、発射薬が点火されてピストン手段を加速する領域となる燃焼室を、ピストンガイドが備えていてもよい。
【００１０】
本発明におけるピストンガイドの前方部材は、作業対象物に対面する部材であって、作業対象物上に置かれて作業対象物に押し付けられることにより、打込作業の開始前にピストンガイドの方に移動されるものである。前方部材がピストンガイドの方に移動しない場合には発射薬の点火を阻止するための打込装置用安全機構が、この移動によって解除されるようにするのが好ましい。
【００１１】
前方部材には、留め具を収容する発射口部材が挿入され、この発射口部材内にピストン手段の前端部を移動可能とするのが好ましい。
【００１２】
回転規制機構は、回転に対して抵抗となるものであって、この抵抗は、相応のトルクを超過すると発生する。このような機能は、固定機構で弾性を有するかまたはバネ付勢された部材の係止によって得られるようにしてもよい。
【００１３】
本発明における固定機構は、通常の作動状態において、ピストンガイドからの前方部材の離脱を防止する機構である。
【００１４】
本発明における留め具は、例えば、釘、ボルト、ネジなどといった打ち込み可能な任意の固定部材である。
【００１５】
本発明の有用な態様の全般において、固定機構は、前方部材及びピストンガイドの一方に設けられ、弾性的に保持されるのが好ましい少なくとも１つの案内部材を備える。この案内部材は、前方部材及びピストンガイドの他方に設けられて中心軸線と平行に延設された案内溝の中で移動するのが特に好ましい。これにより、装備される部材の、機械的に単純で安全に構成された結合構造が得られる。単純な構造として、案内溝は、前方部材内に挿入されるピストンガイドに設けられるのが好ましい。
【００１６】
回転規制機構を単純に具現化するため、案内溝から周方向に分岐する横方向溝が、少なくとも１つの軸線方向解除位置に設けられ、この横方向溝は、案内溝よりも浅く形成されることにより、回転規制機構を形成する。従って、案内部材は、バネ付勢力に抗して、浅くなった部分を乗り越える必要が生じ、これに対応し、回転に必要なトルクが増大する。横方向溝の好ましい具体的構成として、聴覚的に感知可能とすることも可能なラッチ機構により実現することができる。
【００１７】
案内溝と平行に延設される分解用溝を設け、案内部材は、横方向溝を介し、案内溝から分解用溝内に移動可能とするのが、より好ましい。案内部材が分解用溝内に移動すると、ピストンガイドから前方部材を引き抜くことが可能となるが、このために、分解用溝は、ピストンガイドの端部において開放されているのが好ましい。
【００１８】
本発明の好ましい一態様において、案内溝の軸線方向の端部近傍に、軸線方向解除位置が配置される。これにより、作業者は、回転させる前に、ピストンガイドに対して前方部材を停止するまで押すか引くだけでよいので、部材の取り外しを直感的且つ単純なものとすることができる。特に好ましい態様において、案内溝の軸線方向の２つの端部のそれぞれの位置が、周方向に分岐する１つの横方向溝を有した軸線方向解除位置となる。これにより、ピストンガイドに対し、軸線方向における前方部材のどちらの端部においても取り外しが可能となるので、着脱作業が特に単純化されて直感的なものとなる。
【００１９】
低摩擦抵抗及び良好な感触を得るための具体的な好ましい構成として、案内部材が球体として形成される。従って、案内溝及び分解用溝の少なくとも一方は、この球体の径に対応した部分円の断面形状を有するようにしてもよい。
【００２０】
案内部材の単純な構成として、当該案内部材が弾性保持リングにより、穴の中に保持される。この穴は、案内部材が穴の中に完全に入り込むことはできずに一部が外方に突出するような寸法で形成される。
【００２１】
固定機構は、分解する際に、ピストンガイド及び前方部材の他に、分離される部材を有していないのが好ましい。これにより、固定ピンやスナップリング等といった小部品を紛失するおそれがなくなる。
【００２２】
上述したような固定機構は、例えば、それぞれに１つずつ案内部材を有し、周方向に１８０°ずらして設けられた２つの案内溝のように、複数設けるのがより好ましい。案内部材は、一般的なスナップリングなどにより、付勢された状態で保持するようにしてもよい。
【００２３】
本発明の更なる特徴及び利点は、従属請求項のみならず、実施形態からも得ることができる。好ましい実施形態について、添付の図面を用い、以下に詳細に説明する。
【図面の簡単な説明】
【００２４】
【図１】本発明に係る打込装置の全体図である。
【図２】着脱可能に取り付けられた前方部材を有する、図１の打込装置のピストンガイドを示す図である。
【図３】前方部材を取り外した状態の、図２のピストンガイドの詳細図である。
【図４】ピストンガイドを取り外した状態の、図２の前方部材の詳細図である。
【図５】前方部材を取り付けた状態の図２のピストンガイドの、中心軸線Ａに沿う方向の断面を示す図である。
【図６】図５のピストンガイドの、Ｂ−Ｂ線に沿う方向の断面を示す図である。
【発明を実施するための形態】
【００２５】
本発明による打込装置は、ピストン（図示せず）として形成されるピストン手段を収容する手持ち式のハウジング１を備えている。ピストン手段は、燃焼室を有したピストンガイド２内に配置されており、この燃焼室内で発射薬３の燃焼ガスが膨張することにより、ピストンが加速されるようになっている。
【００２６】
このようにして運動エネルギが付与されたピストンは、端部のプランジャを留め具４に打ち当て、これにより留め具４が作業対象物に打ち込まれることになる。留め具４は、発射口部材５内に挿入されており、この発射口部材５は、ピストンガイド２の前方部材６内に受容されている。留め具４及び発射口部材５は、それぞれ中心軸線Ａを中心に回転対称に形成されている。中心軸線Ａは、ピストンガイド２及びピストン手段のそれぞれの中心軸線でもある。
【００２７】
前方部材６は、ピストンガイド２の外周を囲うように設けられ、固定機構７を用いてピストンガイド２に着脱可能に固定される。このような固定状態（図２、図５及び図６を参照）において、前方部材６及びピストンガイド２は、ストッパによって停止するまで、移動幅Ｈだけ相対移動することができるようになっている。
【００２８】
このような相対移動により、打込装置の作動中は、打込装置が作業対象物上に置かれ、前方部材が移動幅Ｈの移動後に十分な大きさの押圧力で押し付けられている場合に限り、発射薬３の点火が可能となるよう、安全機構が公知の方法で作動する。
【００２９】
本発明は、ピストンガイド２への前方部材６の着脱可能な固定に関するものである。このために、案内溝８がピストンガイド２の外面に形成されており、この案内溝８は、実質的に部分円の断面形状を有している。案内溝８には、鋼鉄製の球体からなる案内部材９が係合する。案内溝８の長さは、軸線方向の移動幅Ｈに相当するものとなっており、案内溝８の両端部分は封鎖されている。
【００３０】
球状の案内部材９は、スナップリング１０によって外側から内方に付勢されるようにして、前方部材６の周壁に形成された穴１１内に保持されている。穴１１は、球状の案内部材９の径より小さい最大径を有しており、案内部材９が内壁面から部分的に突出するだけで、落下することがないようになっている。
【００３１】
案内溝８と平行に分解用溝１２が延設されており、この分解用溝１２の一端が、ピストンガイド２の端部で開放されている。
【００３２】
案内溝８の両端部のそれぞれからは、横方向溝１３及び横方向溝１４が、分解用溝１２に達するまで周方向に延設されている。横方向溝１３及び横方向溝１４のぞれぞれは、分解用溝１２及び案内溝８よりも浅く形成されている。
【００３３】
本発明は、以下のようにして機能する。
【００３４】
まず、ピストン及び発射口部材５が設けられた、前方部材６及びピストンガイド２からなる組立モジュールを打込装置から取り外すが、必要であれば、この作業の前に保持機構を解除する。次に、ピストンを取り出して必要に応じ清掃及びメンテナンス作業を行うため、ピストンガイド２と前方部材６をと互いに分離する。
【００３５】
このような作業においては、まず、案内部材９が案内溝８の一端で停止するまで、前方部材６を引っ張るか、または押す。このような状態から、前方部材６をピストンガイド２に対して約２０°の分解用角度だけ回転させ、対応する横方向溝１３または横方向溝１４を介し、案内部材９を分解用溝１２内に移動させる。このとき、横方向溝１３または横方向溝１４は深さが減少しているので、案内部材９は、スナップリング１０の付勢力に抗して押し上げられる。このため、回転中は、基準のトルクを上回る回転トルクが必要になる。
【００３６】
案内部材９が、分解用溝１２に達すると、前方部材６をピストンガイド２から引き抜くことが可能となる。
【００３７】
分解した後の組み立て作業は、逆の手順で行われる。
【００３８】
図示するように、分解用溝１２、案内溝８、横方向溝１３、横方向溝１４、及び案内部材９からなる２組の同様な固定機構７が設けられ、これらは、互いに周方向に１８０°ずれた位置で、ピストンガイド２及び前方部材６に設けられている。これにより、ピストンガイド２における前方部材６の均一で低抵抗の案内を確保することができる。
【図１】
0006355749.tif 000002
【図２】
0006355749.tif 000003
【図３】
0006355749.tif 000004
【図４】
0006355749.tif 000005
【図５】
0006355749.tif 000006
【図６】
0006355749.tif 000007